(57)【要約】  【課題】記憶媒体を介したとしても、オーディオ装置に収録される曲目データの更新を簡単に行うことができる曲目データ更新システムを提供すること。  【解決手段】会員メモリ１３ａ、曲目メモリ１３ｂ、及び通信部１３ｃを内蔵した会員が携帯するＩＣカード１３を備えると共に、リーダー／ライター３と、レンタル商品の識別コードに対応付けて、曲目データを記憶する曲目ＤＢと、識別コードが記録されたバーコード１２を読み取るバーコードリーダー２と、識別コードに基づいて曲目ＤＢから該当する曲目データを取り込む手段と、曲目データをリーダー／ライター３を介してＩＣカード１３の曲目メモリ１３ｂへ書き込む手段とを含んで構成されるレンタル店装置１を備え、リーダー／ライター２２と、ＩＣカード１３から読み込んだ曲目データを用いて、曲目データを更新する手段とを含んで構成されるオーディオ装置２１を備える。  【選択図】図１
2008090629.tif 000002
【特許請求の範囲】
【請求項１】
レンタル店の会員を識別する会員識別情報が記録された会員メモリ、曲目データを記憶
する曲目メモリ、及び通信機能を内蔵した、会員が携帯する携帯部材を備えると共に、
該携帯部材との間でデータのやり取りを行う第１の通信部と、
レンタル商品を識別する商品識別情報に対応付けて、レンタル商品に収録されている楽
曲の曲目データを記憶する第１の記憶部と、
入力部を介して入力された商品識別情報に基づいて、該商品識別情報が示すレンタル商
品に収録されている楽曲の曲目データを前記第１の記憶部から取り込む取込手段と、
該取込手段により取り込まれた曲目データを前記第１の通信部を介して前記携帯部材の
曲目メモリへ書き込む書込手段とを含んで構成されるレンタル店装置を備え、
前記携帯部材との間でデータのやり取りを行う第２の通信部と、
曲目データを記憶する第２の記憶部と、
前記第２の通信部を介して前記携帯部材から読み込んだ曲目データを用いて、前記第２
の記憶部の曲目データを更新する更新手段とを含んで構成されるオーディオ装置を備えて
いることを特徴とする曲目データ更新システム。
【請求項２】
レンタル店の会員を識別する会員識別情報が記録された会員メモリ、曲目データを記憶
する曲目メモリ、及び通信機能を内蔵した、会員が携帯する携帯部材を備えると共に、
該携帯部材との間でデータのやり取りを行う第１の通信部と、
入力部を介して入力された、レンタル商品に収録されている楽曲の曲目データを前記第
１の通信部を介して前記携帯部材の曲目メモリへ書き込む書込手段とを含んで構成される
レンタル店装置を備え、
前記携帯部材との間でデータのやり取りを行う第２の通信部と、
曲目データを記憶する記憶部と、
前記第２の通信部を介して前記携帯部材から読み込んだ曲目データを用いて、前記記憶
部の曲目データを更新する更新手段とを含んで構成されるオーディオ装置を備えているこ
とを特徴とする曲目データ更新システム。
【請求項３】
前記第１の通信部及び前記第２の通信部が、電磁波を発信することによって、前記携帯
部材との間で非接触方式の通信を実現するものであることを特徴とする請求項１又は請求
項２記載の曲目データ更新システム。
【請求項４】
レンタル商品を貸し出すレンタル店の会員を識別する会員識別情報が記録された会員メ
モリ、曲目データを記憶する曲目メモリ、及び通信機能を内蔵した、会員が携帯する携帯
部材との間でデータのやり取りを行う通信部と、
曲目データを記憶する記憶部と、
前記通信部を介して前記携帯部材から読み込んだ曲目データを用いて、前記記憶部の曲
目データを更新する更新手段とを備えていることを特徴とするオーディオ装置。
【請求項５】
前記通信部が、電磁波を発信することによって、前記携帯部材との間で非接触方式の通
信を実現するものであることを特徴とする請求項４記載のオーディオ装置。
【発明の詳細な説明】
【技術分野】
【０００１】
本発明は曲目データ更新システム、及びオーディオ装置に関し、より詳細には、オーデ
ィオ装置に収録される曲目データを更新するための曲目データ更新システム、及びオーデ
ィオ装置に関する。
【背景技術】
【０００２】
オーディオ装置には、再生している楽曲の曲名やアーティスト名、ジャンルなどの曲目
を表示する機能が装備されているものがある。この機能を実現するには、楽曲の曲名やア
ーティスト名、ジャンルなどを示した曲目データが必要であり、曲目データはＨＤＤ等の
記憶装置に収録されるようになっている。
【０００３】
最近のオーディオ装置には、予め２０万曲以上の曲目データをＨＤＤ等の記憶装置に収
録させているものがある。
しかしながら、その後リリースされた新譜の楽曲に対する曲目データについては記憶装
置に収録されていないので、新譜の楽曲が再生されてもその曲目は表示されない。そのた
め、新しく購入したＣＤやレンタル店でレンタルしたＣＤに収録されている楽曲の曲目が
表示されないことがある。従って、曲目データの更新が大切になる。
【０００４】
曲目データを更新するシステムとしては、ＦＭ多重で曲目データを送信し、オーディオ
装置で送信されてくる曲目データを受信させ、記憶装置に収録させて、曲目データを更新
するというシステムがある。
また、曲目データを配信するサービスを提供するサーバーに、ＰＣ（パソコン）等から
アクセスして曲目データをダウンロードし、ダウンロードした曲目データをメモリスティ
ック等の記憶媒体に保存し、その記憶媒体を介してオーディオ装置の曲目データを更新す
るというシステムがある。また、下記の特許文献１には、レンタル店のサーバーにＰＣか
らアクセスして、レンタルしたＣＤに収録されている楽曲の歌詞データなどをダウンロー
ドすることについて開示されている。
【０００５】
ところで、メモリスティック等の記憶媒体を介して、オーディオ装置に収録される曲目
データを更新する場合、上記したように、ＰＣ等を使ってサーバーにアクセスする必要が
ある。そのため、例えば、新しく購入したＣＤやレンタルしたＣＤに収録されている楽曲
の曲名などの曲目を車載用オーディオ装置で表示させたい場合、ＰＣを使ってサーバーに
アクセスし、必要な手順を踏んで曲目データをダウンロードし、ダウンロードした曲目デ
ータをメモリスティックに保存し、その後、車両へ乗り込んで、車載用オーディオ装置に
メモリスティックを装填し、車載用オーディオ装置に収録されている曲目データを更新し
なければならない時がある。この作業は非常に手間である。
また、車両でレンタル店へ行って、新譜のＣＤをレンタルした後、ＰＣのある自宅へ戻
ることなくそのまま旅行に出掛けた場合、そのＣＤに収録されている楽曲の曲目は表示さ
れないことになる。これは、非常に残念である。
【特許文献１】特開２００２−２０７４９０号公報
【発明の開示】
【課題を解決するための手段及びその効果】
【０００６】
本発明は上記課題に鑑みなされたものであって、記憶媒体を介したとしても、オーディ
オ装置に収録される曲目データの更新を簡単に行うことができる曲目データ更新システム
、及びオーディオ装置を提供することを目的としている。
【０００７】
上記目的を達成するために本発明に係る曲目データ更新システム（１）は、レンタル店
の会員を識別する会員識別情報が記録された会員メモリ、曲目データを記憶する曲目メモ
リ、及び通信機能を内蔵した、会員が携帯する携帯部材を備えると共に、該携帯部材との
間でデータのやり取りを行う第１の通信部と、レンタル商品を識別する商品識別情報に対
応付けて、レンタル商品に収録されている楽曲の曲目データを記憶する第１の記憶部と、
入力部を介して入力された商品識別情報に基づいて、該商品識別情報が示すレンタル商品
に収録されている楽曲の曲目データを前記第１の記憶部から取り込む取込手段と、該取込
手段により取り込まれた曲目データを前記第１の通信部を介して前記携帯部材の曲目メモ
リへ書き込む書込手段とを含んで構成されるレンタル店装置を備え、前記携帯部材との間
でデータのやり取りを行う第２の通信部と、曲目データを記憶する第２の記憶部と、前記
第２の通信部を介して前記携帯部材から読み込んだ曲目データを用いて、前記第２の記憶
部の曲目データを更新する更新手段とを含んで構成されるオーディオ装置を備えているこ
とを特徴としている。
【０００８】
上記曲目データ更新システム（１）によれば、前記第１の通信部が、前記携帯部材との
間でデータのやり取りを行うものであるので、前記レンタル店装置と前記携帯部材との間
でデータのやり取りが行われることになる。また、前記入力部を介して商品識別情報が入
力されると、前記第１の記憶部から前記商品識別情報が示すレンタル商品の曲目データが
取り込まれ、取り込まれた曲目データが前記第１の通信部を介して前記携帯部材の曲目メ
モリへ書き込まれる。
【０００９】
従って、例えば、レンタル店の従業員が、前記入力部を介して商品識別情報を入力し、
そして前記レンタル店装置と前記携帯部材との間で、データのやり取りをさせることによ
って、前記商品識別情報が示すレンタル商品の曲目データを前記携帯部材の曲目メモリへ
書き込ませることができる。なお、前記入力部を介して商品識別情報を入力する形態とし
ては、例えば、レンタル商品を識別する識別コードをキーボードを介して入力するといっ
た形態や、レンタル商品を識別する識別コードが記録されたバーコードをバーコードリー
ダーを介して読み取るといった形態が挙げられる。
【００１０】
また、前記第２の通信部が、前記携帯部材との間でデータのやり取りを行うものである
ので、前記オーディオ装置と前記携帯部材との間でデータのやり取りが行われることにな
る。従って、例えば、レンタル商品をレンタルした者が、前記携帯部材と前記オーディオ
装置との間で、データのやり取りをさせることによって、前記携帯部材に保存されている
曲目データで、前記オーディオ装置の第２の記憶部の曲目データを更新させることができ
る。
【００１１】
このように、レンタル商品をレンタルした者は、自宅に戻ってＰＣを使ってサーバーに
アクセスするなどの作業を行わなくても、レンタル商品の曲目データを前記携帯部材に保
存させることができ、また、前記携帯部材と前記オーディオ装置との間で、データのやり
取りをさせるだけで、前記オーディオ装置の曲目データを更新させることができる。従っ
て、記憶媒体（ここでは、曲目メモリを備えた携帯部材）を介したとしても、前記オーデ
ィオ装置の曲目データの更新を簡単に行うことができる。
【００１２】
また、前記携帯部材には、レンタル店の会員を識別する会員識別情報が記録された会員
メモリが内蔵されている。すなわち、前記携帯部材は、レンタル店の会員証の機能を併せ
持っているので、会員はレンタル商品をレンタルする場合、前記携帯部材を所持すること
になる。従って、曲目データを保存するためそれ専用の記憶媒体は不要であり、レンタル
店の会員は前記携帯部材だけを管理すれば良いことになる。
【００１３】
また、本発明に係る曲目データ更新システム（２）は、レンタル店の会員を識別する会
員識別情報が記録された会員メモリ、曲目データを記憶する曲目メモリ、及び通信機能を
内蔵した、会員が携帯する携帯部材を備えると共に、該携帯部材との間でデータのやり取
りを行う第１の通信部と、入力部を介して入力された、レンタル商品に収録されている楽
曲の曲目データを前記第１の通信部を介して前記携帯部材の曲目メモリへ書き込む書込手
段とを含んで構成されるレンタル店装置を備え、前記携帯部材との間でデータのやり取り
を行う第２の通信部と、曲目データを記憶する記憶部と、前記第２の通信部を介して前記
携帯部材から読み込んだ曲目データを用いて、前記記憶部の曲目データを更新する更新手
段とを含んで構成されるオーディオ装置を備えていることを特徴としている。
【００１４】
上記曲目データ更新システム（２）によれば、前記第１の通信部が、前記携帯部材との
間でデータのやり取りを行うものであるので、前記レンタル店装置と前記携帯部材との間
でデータのやり取りが行われることになる。また、前記入力部を介して曲目データが入力
されると、入力された曲目データが前記第１の通信部を介して前記携帯部材の曲目メモリ
へ書き込まれる。
【００１５】
従って、例えば、レンタル店の従業員が、前記入力部を介して曲目データを入力し、そ
して前記レンタル店装置と前記携帯部材との間で、データのやり取りをさせることによっ
て、レンタル商品の曲目データを前記携帯部材の曲目メモリへ書き込ませることができる
。なお、前記入力部を介して曲目データを入力する形態としては、例えば、レンタル商品
の曲目データが記録されたバーコードをバーコードリーダーを介して読み取るといった形
態が挙げられる。
【００１６】
また、前記第２の通信部が、前記携帯部材との間でデータのやり取りを行うものである
ので、前記オーディオ装置と前記携帯部材との間でデータのやり取りが行われることにな
る。従って、例えば、レンタル商品をレンタルした者が、前記携帯部材と前記オーディオ
装置との間で、データのやり取りをさせることによって、前記携帯部材に保存されている
曲目データで、前記オーディオ装置の第２の記憶部の曲目データを更新することができる
。
【００１７】
このように、レンタル商品をレンタルした者は、自宅に戻ってＰＣを使ってサーバーに
アクセスするなどの作業を行わなくても、レンタル商品の曲目データを前記携帯部材に保
存させることができ、また、前記携帯部材と前記オーディオ装置との間で、データのやり
取りをさせるだけで、前記オーディオ装置の曲目データを更新させることができる。従っ
て、記憶媒体（ここでは、曲目メモリを備えた携帯部材）を介したとしても、前記オーデ
ィオ装置の曲目データの更新を簡単に行うことができる。
【００１８】
また、前記携帯部材には、レンタル店の会員を識別する会員識別情報が記録された会員
メモリが内蔵されている。すなわち、前記携帯部材は、レンタル店の会員証の機能を併せ
持っているので、会員はレンタル商品をレンタルする場合、前記携帯部材を所持すること
になる。従って、曲目データを保存するためそれ専用の記憶媒体は不要であり、レンタル
店の会員は前記携帯部材だけを管理すれば良いことになる。
【００１９】
また、本発明に係るオーディオ装置（１）は、レンタル商品を貸し出すレンタル店の会
員を識別する会員識別情報が記録された会員メモリ、曲目データを記憶する曲目メモリ、
及び通信機能を内蔵した、会員が携帯する携帯部材との間でデータのやり取りを行う通信
部と、曲目データを記憶する記憶部と、前記通信部を介して前記携帯部材から読み込んだ
曲目データを用いて、前記記憶部の曲目データを更新する更新手段とを備えていることを
特徴としている。
【００２０】
上記オーディオ装置（１）によれば、前記通信部が、前記携帯部材との間でデータのや
り取りを行うものであるので、前記携帯部材との間でデータのやり取りが行われることに
なる。従って、例えば、レンタル商品をレンタルした者が、前記携帯部材と前記オーディ
オ装置との間で、データのやり取りをさせることによって、前記携帯部材に保存されてい
る曲目データで、前記オーディオ装置の記憶部の曲目データを更新させることができる。
【００２１】
このように、レンタル商品をレンタルした者は、前記携帯部材と前記オーディオ装置と
の間で、データのやり取りをさせるだけで、前記オーディオ装置の曲目データを更新させ
ることができる。従って、記憶媒体（ここでは、曲目メモリを備えた携帯部材）を介した
としても、前記オーディオ装置の曲目データの更新を簡単に行うことができる。
【００２２】
また、前記携帯部材には、レンタル店の会員を識別する会員識別情報が記録された会員
メモリが内蔵されている。すなわち、前記携帯部材は、レンタル店の会員証の機能を併せ
持っているので、会員はレンタル商品をレンタルする場合、前記携帯部材を所持すること
になる。従って、曲目データを保存するためそれ専用の記憶媒体は不要であり、レンタル
店の会員は前記携帯部材だけを管理すれば良いことになる。
【発明を実施するための最良の形態】
【００２３】
以下、本発明に係る曲目データ更新システム、及びオーディオ装置の実施の形態を図面
に基づいて説明する。図１（ａ）は実施の形態（１）に係る曲目データ更新システムの構
成例を示す概略図である。図中１はレンタル商品である楽曲ＣＤを貸し出すレンタル店に
設置されるレンタル店装置を示しており、レンタル店装置１にはバーコードリーダー２及
びリーダー／ライター３が装備されている。
【００２４】
バーコードリーダー２は、楽曲ＣＤのＣＤケース１１に印刷された、楽曲ＣＤを識別す
る識別コードが記録されたバーコード１２を読み取るためのものである。また、リーダー
／ライター３は、例えば、１３．５６ＭＨｚの周波数帯の電磁波を発信することによって
、ＩＣカード１３との間で１０ｃｍ程度のごく近距離での双方向通信（すなわち、非接触
方式の通信）を実現するものである。なお、非接触方式の通信技術としては、例えば、Ｆ
ｅｌｉＣａ技術が挙げられる。
【００２５】
図中２１は車両に搭載される、オーディオ機能を有したナビゲーション装置を示してお
り、ナビゲーション装置２１の本体内部にリーダー／ライター２２が組み込まれている。
リーダー／ライター２２は、リーダー／ライター３と同様に、ある周波数帯の電磁波を発
信することによって、ＩＣカード１３との間で１０ｃｍ程度のごく近距離での双方向通信
を実現するものである。
【００２６】
なお、リーダー／ライター２２はＩＣカード１３との間でごく近距離での双方向通信を
実現するものであるので、リーダー／ライター２２についてはナビゲーション装置２１の
ディスプレイの裏側など、その主面近くに配置するのが望ましい。また、ここではリーダ
ー／ライター２２をナビゲーション装置２１の本体内部に組み込む場合について説明して
いるが、別の実施の形態では、ナビゲーション装置２１の本体から外にリーダー／ライタ
ー２２を設けるようにしても良い。
【００２７】
ＩＣカード１３はレンタル店の会員が携帯するものであり、図１（ｂ）に示したように
、会員を識別する会員コードが記録された会員メモリ１３ａ、曲目データを記憶する曲目
メモリ１３ｂ、及びリーダー／ライター３、２２との間で通信を行うための通信部１３ｃ
を含んで構成されている。
【００２８】
ナビゲーション装置２１に収録される曲目データが更新されるまでの流れを、会員とレ
ンタル店の従業員との作業に重きをおいて、図２に示したフローチャートを使って説明す
る。まず、会員がレンタルを希望する楽曲ＣＤのＣＤケース１１をレンタル店装置１が置
かれているレジへ持っていき、レンタル店の従業員へＣＤケース１１とＩＣカード１３と
を渡す（作業Ａ１）。
【００２９】
従業員はＣＤケース１１とＩＣカード１３とを受け取ると、まず、ＩＣカード１３をリ
ーダー／ライター３にかざす（作業Ｂ１）。これによって、リーダー／ライター３で、Ｉ
Ｃカード１３に記録されている会員コードが読み取られる。そして、この読み取られた会
員コードを使って、会員認証が行われることになる。
【００３０】
従業員は、正規の会員であることの確認がとれれば、次に、バーコードリーダー２でＣ
Ｄケース１１に印刷されているバーコード１２をなぞる（作業Ｂ２）。これによって、バ
ーコードリーダー２で、バーコード１２に記録されている楽曲ＣＤの識別コードが読み取
られる。そして、この読み取られた識別コードを使って、当該楽曲ＣＤに収録されている
楽曲の曲名やアーティスト名、ジャンルなどを示した曲目データが取り込まれることにな
る。
【００３１】
従業員は、曲目データの取り込みが完了したことの確認がとれれば、もう一度、ＩＣカ
ード１３をリーダー／ライター３にかざす（作業Ｂ３）。これによって、リーダー／ライ
ター３で、ＩＣカード１３に曲目データが書き込まれる。従業員はこれら一連の処理が完
了すると、当該楽曲ＣＤを取り出し、それと一緒にＩＣカード１３を会員へ渡す（作業Ｂ
４）。
【００３２】
その後、会員は車両へ乗り込んで、ＩＣカード１３をナビゲーション装置２１にかざす
（作業Ａ２）。これによって、ナビゲーション装置２１に組み込まれているリーダー／ラ
イター２２で、ＩＣカード１３に書き込まれている曲目データが読み取られる。そして、
この読み取られた曲目データを用いて、ナビゲーション装置２１の曲目データが更新され
ることになる。
【００３３】
図３は実施の形態（１）に係る曲目データ更新システムを構成するレンタル店装置の要
部を概略的に示したブロック図である。レンタル店装置１はバーコードリーダー２と、リ
ーダー／ライター３と、ＣＰＵ、ＲＯＭ、及びＲＡＭを有したマイクロコンピュータ（以
降、単にマイコンと記す）４と、会員の個人情報を記憶する会員データベース（会員ＤＢ
）５と、楽曲ＣＤを識別する識別コードに対応付けて、当該楽曲ＣＤに収録されている楽
曲の曲目データを記憶する曲目データベース（曲目ＤＢ）６と、ディスプレイ７と、キー
ボード８とを含んで構成されている。
【００３４】
図４は実施の形態（１）に係る曲目データ更新システムを構成するナビゲーション装置
の要部を概略的に示したブロック図である。ナビゲーション装置２１はリーダー／ライタ
ー２２と、ＣＰＵ、ＲＯＭ、及びＲＡＭを有したマイコン２３と、ＤＶＤ−ＲＯＭ２４か
ら音声データや映像データなどを読み出すためのＣＤ、ＤＶＤデッキ２５と、磁気ディス
クで構成され、データの読み書きが可能であり、地図データや楽曲データ、曲目データな
どを記憶するＨＤＤ２６と、リモコン２７と、ディスプレイ２８と、マイコン２３からの
文字データを処理して合成音声データを生成する音声合成部２９と、音声合成部２９で生
成された合成音声データを増幅する増幅器３０とを含んで構成されている。
【００３５】
また、増幅器３０はスピーカ３１に接続され、増幅器３０で増幅された合成音声データ
は音声としてスピーカ３１から出力される。なお、文字データではない、楽曲データなど
の音声データについては音声合成部２９を介さずに、スピーカ３１から出力されるように
なっている。また、ＣＤ、ＤＶＤデッキ２５はＣＤの再生も可能となっている。
【００３６】
マイコン２３に接続されているＧＰＳ受信機３２は、アンテナ３３を介して人工衛星か
らのＧＰＳ信号を受信するものであり、マイコン２３はＧＰＳ信号に基づいて自車位置を
割り出すことができるようになっている。また、マイコン２３には車両の速度に関するデ
ータを検出するための車速センサ３４と、車両の進行方向に関するデータを取得するため
のジャイロセンサ３５とが接続されている。
【００３７】
次に、実施の形態（１）に係る曲目データ更新システムを構成するレンタル店装置１に
おけるマイコン４の行う処理動作［１−１］を図５に示したフローチャートに基づいて説
明する。なお、この処理動作［１−１］はリーダー／ライター３によるデータの読み取り
があった場合（例えば、従業員によってＩＣカード１３がリーダー／ライター３にかざさ
れた場合）に行われる動作である。
【００３８】
まず、リーダー／ライター３によって読み取られたデータに会員コードが含まれている
か否かを判断する（ステップＳ１）。リーダー／ライター３によって読み取られたデータ
に会員コードが含まれていると判断すれば、次に、この会員コードを使って、会員データ
ベース５を検索して会員認証を行う（ステップＳ２）。
一方、会員コードが含まれていないと判断すれば、ＩＣカード１３に会員カードが記録
されていないことを示す警告画面をディスプレイ７へ表示する（ステップＳ３）。
【００３９】
ステップＳ２において、ＩＣカード３の所有者が正規の会員と認められれば、会員デー
タベース５から会員の個人情報を読み出し（ステップＳ４）、会員の個人情報（例えば、
氏名、性別、年令）をディスプレイ７へ表示する（ステップＳ５）。この会員の個人情報
が表示されることによって、従業員はＩＣカード１３の所有者が正規の会員であることを
確認することができる。
一方、ＩＣカード１３の所有者が正規の会員と認められなければ、その旨を示す警告画
面をディスプレイ７へ表示する（ステップＳ６）。
【００４０】
次に、バーコードリーダー２によるバーコード１２の読み取りがあったか否かを判断し
（ステップＳ７）、バーコード１２の読み取りがあったと判断すれば、次に、バーコード
１２に記録されている識別コードに基づいて、該識別コードが示す楽曲ＣＤに収録されて
いる楽曲ＣＤの曲目データを曲目データベース６から取り込み（ステップＳ８）、取り込
んだ曲目データに基づいて、曲名やアーティスト名、ジャンルなどの曲目をディスプレイ
７へ表示する（ステップＳ９）。
【００４１】
次に、リーダー／ライター３によるデータの読み取りがあったか否かを判断し（ステッ
プＳ１０）、リーダー／ライター３によるデータの読み取りがあった（すなわち、リーダ
ー／ライター３にＩＣカード１３が近づけられている）と判断すれば、次に、リーダー／
ライター３によって読み取られたデータに会員コードが含まれているか否かを判断する（
ステップＳ１１）。リーダー／ライター３によって読み取られたデータに会員コードが含
まれていると判断すれば、次に、この会員コードを使って、先に認証した会員と一致する
か否かを判断する（ステップＳ１２）。
一方、会員コードが含まれていないと判断すれば、リーダー／ライター３に近づけられ
ているＩＣカード１３に会員カードが記録されていないことを示す警告画面をディスプレ
イ７へ表示し（ステップＳ１３）、その後、ステップＳ１０へ戻る。
【００４２】
ステップＳ１２において、先に認証した会員と一致すると判断すれば、リーダー／ライ
ター３を介してＩＣカード１３に曲目データを書き込む（ステップＳ１４）。これによっ
て、ＩＣカード１３の曲目メモリ１３ｂに曲目データが保存されることになる。
一方、先に認証した会員と一致しないと判断すれば、その旨を示す警告画面をディスプ
レイ７へ表示し（ステップＳ１５）、その後、ステップＳ１０へ戻る。
【００４３】
次に、実施の形態（１）に係る曲目データ更新システムを構成するナビゲーション装置
２１におけるマイコン２３の行う処理動作［１−２］を図６に示したフローチャートに基
づいて説明する。なお、この処理動作［１−２］はリーダー／ライター２２によるデータ
の読み取りがあった場合（例えば、会員によってＩＣカード１３がナビゲーション装置２
１のディスプレイ７に近づけられた場合）に行われる動作である。
【００４４】
まず、リーダー／ライター２２によって読み取られたデータから曲目データを抽出し（
ステップＳ２１）、抽出した曲目データを用いて、ＨＤＤ２６の曲目データを更新し（ス
テップＳ２２）、その後、更新が完了したことを示す告知画面をディスプレイ２８へ表示
する（ステップＳ２３）。
【００４５】
上記実施の形態（１）に係る曲目データ更新システムによれば、リーダー／ライター３
が、ＩＣカード１３との間でデータのやり取りを行うものであるので、レンタル店装置１
とＩＣカード１３との間でデータのやり取りが行われることになる。また、バーコードリ
ーダー２を介して楽曲ＣＤの識別コードが読み取られると、曲目データベース６から当該
識別コードが示す楽曲ＣＤの曲目データが取り込まれ、取り込まれた曲目データがリーダ
ー／ライター３を介してＩＣカード１３へ書き込まれる。これによって、ＩＣカード１３
の曲目メモリ１３ｂで曲目データが保存されることになる。
【００４６】
従って、例えば、レンタル店の従業員が、バーコードリーダー２でＣＤケース１１に印
刷されているバーコード１２をなぞり、そしてＩＣカード１３をリーダー／ライター３に
かざし、レンタル店装置１とＩＣカード１３との間で、データのやり取りをさせることに
よって、バーコード１２に記録された識別コードが示す楽曲ＣＤの曲目データをＩＣカー
ド１３の曲目メモリ１３ｂへ書き込ませることができる。なお、ここではバーコードリー
ダー２を使ってバーコード１２を読み取ることによって、識別コードを入力するようにな
っているが、別の実施の形態では、キーボード８を使って識別コードを入力するようにし
ても良い。
【００４７】
また、リーダー／ライター２２が、ＩＣカード１３との間でデータのやり取りを行うも
のであるので、ナビゲーション装置２１とＩＣカード１３との間でデータのやり取りが行
われることになる。従って、例えば、レンタル商品をレンタルした者が、ＩＣカード１３
をリーダー／ライター２２が組み込まれたナビゲーション装置２１の主面にかざし、ＩＣ
カード１３とナビゲーション装置２１との間で、データのやり取りをさせることによって
、ＩＣカード１３に保存されている曲目データで、ナビゲーション装置２１のＨＤＤ２６
の曲目データを更新させることができる。
【００４８】
このように、レンタル商品をレンタルした者は、自宅に戻ってＰＣを使ってサーバーに
アクセスするなどの作業を行わなくても、レンタル商品の曲目データをＩＣカード１３に
保存させることができ、また、ＩＣカード１３とナビゲーション装置２１との間で、デー
タのやり取りをさせるだけで、ナビゲーション装置２１の曲目データを更新させることが
できる。従って、記憶媒体（ここでは、曲目メモリ１３ｂを備えたＩＣカード１３）を介
したとしても、ナビゲーション装置２１の曲目データの更新を簡単に行うことができる。
【００４９】
また、ＩＣカード１３には、レンタル店の会員を識別する会員識別情報が記録された会
員メモリ１３ａが内蔵されている。すなわち、ＩＣカード１３は、レンタル店の会員証の
機能を併せ持っているので、会員はレンタル商品をレンタルする場合、ＩＣカード１３を
所持することになる。従って、曲目データを保存するためそれ専用の記憶媒体は不要であ
り、レンタル店の会員はＩＣカード１３だけを管理すれば良いことになる。
【００５０】
図７（ａ）は実施の形態（２）に係る曲目データ更新システムの構成例を示す概略図で
ある。なお、図１（ａ）に示した曲目データ更新システムと同様の構成部分については同
符号を付している。図中１Ａはレンタル商品である楽曲ＣＤを貸し出すレンタル店に設置
されるレンタル店装置を示しており、レンタル店装置１Ａにはバーコードリーダー２及び
リーダー／ライター３が装備されている。
【００５１】
バーコードリーダー２は、楽曲ＣＤのＣＤケース１１Ａに印刷された、楽曲ＣＤを識別
する識別コード及び当該楽曲ＣＤの曲目データが記録されたバーコード１２Ａを読み取る
ためのものである。また、リーダー／ライター３は、例えば、１３．５６ＭＨｚの周波数
帯の電磁波を発信することによって、ＩＣカード１３との間で１０ｃｍ程度のごく近距離
での双方向通信（すなわち、非接触方式の通信）を実現するものである。
【００５２】
図中２１は車両に搭載される、オーディオ機能を有したナビゲーション装置を示してお
り、ナビゲーション装置２１にはリーダー／ライター２２が組み込まれている。リーダー
／ライター２２は、リーダー／ライター３と同様に、ある周波数帯の電磁波を発信するこ
とによって、ＩＣカード１３との間で１０ｃｍ程度のごく近距離での双方向通信を実現す
るものである。
【００５３】
ＩＣカード１３はレンタル店の会員が携帯するものであり、図７（ｂ）に示したように
、会員を識別する会員コードが記録された会員メモリ１３ａ、曲目データを記憶する曲目
メモリ１３ｂ、及びリーダー／ライター３、２２との間で通信を行うための通信部１３ｃ
を含んで構成されている。
【００５４】
ナビゲーション装置２１に収録される曲目データが更新されるまでの流れを、会員とレ
ンタル店の従業員との作業に重きをおいて、図８に示したフローチャートを使って説明す
る。まず、会員がレンタルを希望する楽曲ＣＤのＣＤケース１１Ａをレンタル店装置１Ａ
が置かれているレジへ持っていき、レンタル店の従業員へＣＤケース１１ＡとＩＣカード
１３とを渡す（作業Ａ１）。
【００５５】
従業員はＣＤケース１１ＡとＩＣカード１３とを受け取ると、まず、ＩＣカード１３を
リーダー／ライター３にかざす（作業Ｂ１）。これによって、リーダー／ライター３で、
ＩＣカード１３に記録されている会員コードが読み取られる。そして、この読み取られた
会員コードを使って、会員認証が行われることになる。
【００５６】
従業員は、正規の会員であることの確認がとれれば、次に、バーコードリーダー２でＣ
Ｄケース１１Ａに印刷されているバーコード１２Ａをなぞる（作業Ｂ２）。これによって
、バーコードリーダー２で、バーコード１２Ａに記録されている楽曲ＣＤの識別コード及
び当該楽曲ＣＤに収録されている楽曲の曲名やアーティスト名、ジャンルなどを示した曲
目データが読み取られる。
【００５７】
従業員は、曲目データの取り込みが完了したことの確認がとれれば、もう一度、ＩＣカ
ード１３をリーダー／ライター３にかざす（作業Ｂ３）。これによって、リーダー／ライ
ター３で、ＩＣカード１３に曲目データが書き込まれる。従業員はこれら一連の処理が完
了すると、当該楽曲ＣＤを取り出し、それと一緒にＩＣカード１３を会員へ渡す（作業Ｂ
４）。
【００５８】
その後、会員は車両へ乗り込んで、ＩＣカード１３をナビゲーション装置２１にかざす
（作業Ａ２）。これによって、ナビゲーション装置２１に組み込まれているリーダー／ラ
イター２２で、ＩＣカード１３に書き込まれている曲目データが読み取られる。そして、
この読み取られた曲目データを用いて、ナビゲーション装置２１の曲目データが更新され
ることになる。
【００５９】
図９は実施の形態（２）に係る曲目データ更新システムを構成するレンタル店装置の要
部を概略的に示したブロック図である。なお、図３に示したレンタル店装置１と同様の構
成部分については同符号を付している。レンタル店装置１Ａはバーコードリーダー２と、
リーダー／ライター３と、ＣＰＵ、ＲＯＭ、及びＲＡＭを有したマイコン４Ａと、会員の
個人情報を記憶する会員データベース（会員ＤＢ）５と、ディスプレイ７と、キーボード
８とを含んで構成されている。
なお、実施の形態（２）に係る曲目データ更新システムを構成するナビゲーション装置
２１については、図４に示したナビゲーション装置２１の構成と同じであるので、ここで
はその説明を省略する。
【００６０】
次に、実施の形態（２）に係る曲目データ更新システムを構成するレンタル店装置１Ａ
におけるマイコン４Ａの行う処理動作［２−１］を図１０に示したフローチャートに基づ
いて説明する。なお、この処理動作［２−１］はリーダー／ライター３によるデータの読
み取りがあった場合（例えば、従業員によってＩＣカード１３がリーダー／ライター３に
かざされた場合）に行われる動作である。
【００６１】
まず、リーダー／ライター３によって読み取られたデータに会員コードが含まれている
か否かを判断する（ステップＳ３１）。リーダー／ライター３によって読み取られたデー
タに会員コードが含まれていると判断すれば、次に、この会員コードを使って、会員デー
タベース５を検索して会員認証を行う（ステップＳ３２）。
一方、会員コードが含まれていないと判断すれば、ＩＣカード１３に会員カードが記録
されていないことを示す警告画面をディスプレイ７へ表示する（ステップＳ３３）。
【００６２】
ステップＳ３２において、ＩＣカード３の所有者が正規の会員と認められれば、会員デ
ータベース５から会員の個人情報を読み出し（ステップＳ３４）、会員の個人情報（例え
ば、氏名、性別、年令）をディスプレイ７へ表示する（ステップＳ３５）。この会員の個
人情報が表示されることによって、従業員はＩＣカード１３の所有者が正規の会員である
ことを確認することができる。
一方、ＩＣカード１３の所有者が正規の会員と認められなければ、その旨を示す警告画
面をディスプレイ７へ表示する（ステップＳ３６）。
【００６３】
次に、バーコードリーダー２によるバーコード１２Ａの読み取りがあったか否かを判断
し（ステップＳ３７）、バーコード１２Ａの読み取りがあったと判断すれば、次に、バー
コード１２Ａに記録されている曲目データに基づいて、バーコード１２Ａに記録されてい
る識別コードが示す楽曲ＣＤに収録されている楽曲の曲名やアーティスト名、ジャンルな
どの曲目をディスプレイ７へ表示する（ステップＳ３８）。
【００６４】
次に、リーダー／ライター３によるデータの読み取りがあったか否かを判断し（ステッ
プＳ３９）、リーダー／ライター３によるデータの読み取りがあった（すなわち、リーダ
ー／ライター３にＩＣカード１３が近づけられている）と判断すれば、次に、リーダー／
ライター３によって読み取られたデータに会員コードが含まれているか否かを判断する（
ステップＳ４０）。リーダー／ライター３によって読み取られたデータに会員コードが含
まれていると判断すれば、次に、この会員コードを使って、先に認証した会員と一致する
か否かを判断する（ステップＳ４１）。
一方、会員コードが含まれていないと判断すれば、リーダー／ライター３に近づけられ
ているＩＣカード１３に会員カードが記録されていないことを示す警告画面をディスプレ
イ７へ表示し（ステップＳ４２）、その後、ステップＳ３９へ戻る。
【００６５】
ステップＳ４１において、先に認証した会員と一致すると判断すれば、リーダー／ライ
ター３を介してＩＣカード１３に曲目データを書き込む（ステップＳ４３）。これによっ
て、ＩＣカード１３の曲目メモリ１３ｂに曲目データが保存されることになる。
一方、先に認証した会員と一致しないと判断すれば、その旨を示す警告画面をディスプ
レイ７へ表示し（ステップＳ４４）、その後、ステップＳ３９へ戻る。
【００６６】
上記実施の形態（２）に係る曲目データ更新システムによれば、リーダー／ライター３
が、ＩＣカード１３との間でデータのやり取りを行うものであるので、レンタル店装置１
ＡとＩＣカード１３との間でデータのやり取りが行われることになる。また、バーコード
リーダー２を介してバーコード１２Ａから曲目データが読み取られると、読み取られた曲
目データがリーダー／ライター３を介してＩＣカード１３へ書き込まれる。これによって
、ＩＣカード１３の曲目メモリ１３ｂで曲目データが保存されることになる。
【００６７】
従って、例えば、レンタル店の従業員が、バーコードリーダー２でＣＤケース１１Ａに
印刷されているバーコード１２Ａをなぞり、そしてＩＣカード１３をリーダー／ライター
３にかざし、レンタル店装置１ＡとＩＣカード１３との間で、データのやり取りをさせる
ことによって、バーコード１２Ａに記録された曲目データをＩＣカード１３の曲目メモリ
１３ｂへ書き込ませることができる。
【００６８】
また、リーダー／ライター２２が、ＩＣカード１３との間でデータのやり取りを行うも
のであるので、ナビゲーション装置２１とＩＣカード１３との間でデータのやり取りが行
われることになる。従って、例えば、レンタル商品をレンタルした者が、ＩＣカード１３
をリーダー／ライター２２が組み込まれたナビゲーション装置２１の主面にかざし、ＩＣ
カード１３とナビゲーション装置２１との間で、データのやり取りをさせることによって
、ＩＣカード１３に保存されている曲目データで、ナビゲーション装置２１のＨＤＤ２６
の曲目データを更新させることができる。
【００６９】
なお、実際にレンタルした楽曲ＣＤを再生する場合は、例えば、ナビゲーション装置２
１に装備されているＣＤ、ＤＶＤデッキ２５にその楽曲ＣＤが装填されることになる。楽
曲ＣＤがＣＤ、ＤＶＤデッキ２５に装填されると、楽曲ＣＤに収録されている楽曲データ
がスピーカ３１を介して出力されると共に、当該楽曲ＣＤに記録されているＴＯＣデータ
等に基づいて曲目データが更新されたＨＤＤ２６から、当該楽曲ＣＤの曲目データが読み
出され、当該楽曲ＣＤに収録されている（又は再生中の）楽曲の曲名やアーティスト名、
ジャンル等がディスプレイ２８に表示される。
【００７０】
このように、レンタル商品をレンタルした者は、自宅に戻ってＰＣを使ってサーバーに
アクセスするなどの作業を行わなくても、レンタル商品の曲目データをＩＣカード１３に
保存させることができ、また、ＩＣカード１３とナビゲーション装置２１との間で、デー
タのやり取りをさせるだけで、ナビゲーション装置２１の曲目データを更新させることが
できる。従って、記憶媒体（ここでは、曲目メモリ１３ｂを備えたＩＣカード１３）を介
したとしても、ナビゲーション装置２１の曲目データの更新を簡単に行うことができる。
【００７１】
また、ＩＣカード１３には、レンタル店の会員を識別する会員識別情報が記録された会
員メモリ１３ａが内蔵されている。すなわち、ＩＣカード１３は、レンタル店の会員証の
機能を併せ持っているので、会員はレンタル商品をレンタルする場合、ＩＣカード１３を
所持することになる。従って、曲目データを保存するためそれ専用の記憶媒体は不要であ
り、レンタル店の会員はＩＣカード１３だけを管理すれば良いことになる。
【００７２】
上記実施の形態（１）又は（２）に係る曲目データ更新システムでは、オーディオ機能
を有したナビゲーション装置２１に収録される曲目データを更新する場合について説明し
ているが、曲目データの更新対象となる装置は、ナビゲーション装置に限定されるもので
はなく、ナビゲーション機能を有しないオーディオ装置でも良く、また車載用のオーディ
オ装置でなくても良い。
なお、車載用の場合には、安全性を高めるために、ＩＣカード１３からの曲目データの
読み取りの実行を、車速が０km/hの時や、パーキングブレーキ（いわゆる、ハンドブレー
キ）が作動している時などに限定するようにしても良い。
【００７３】
上記実施の形態（１）又は（２）に係る曲目データ更新システムでは、ＩＣカード１３
に曲目データを書き込む場合についてのみ説明しているが、ＩＣカード１３には曲目デー
タだけでなく、レンタル商品の返却日や、レンタル履歴などを書き込むようにしても良い
。
【００７４】
また、上記実施の形態（１）又は（２）に係る曲目データ更新システムでは、ＩＣカー
ド１３を使って、会員認証を行ったり、ＩＣカード１３に曲目データを書き込み、ＩＣカ
ード１３から曲目データを読み取ってナビゲーション装置２１の曲目データを更新する場
合について説明しているが、別の実施の形態では、例えば、会員証機能を併せ持った携帯
電話を使って、会員認証を行ったり、前記携帯電話に曲目データを書き込み、前記携帯電
話から曲目データを読み出して、ナビゲーション装置へ曲目データを送信するようにして
も良い。
【００７５】
ナビゲーション装置には、携帯電話から送信されるデータを受信する機能が装備されて
いるものもあるので、その場合には、ＩＣカード１３との間でデータのやり取りを行うた
めに必要となるリーダー／ライター２２のような新たな機能を設けなくて良く、コストダ
ウンを図ることができる。
【図面の簡単な説明】
【００７６】
【図１】（ａ）は本発明の実施の形態（１）に係る曲目データ更新システムの構成例を示した概略図であり、（ｂ）はＩＣカードの構成例を示した概略図である。
【図２】ナビゲーション装置に収録される曲目データが更新されるまでの流れを示したフローチャートである。
【図３】実施の形態（１）に係る曲目データ更新システムを構成するレンタル店装置の要部を概略的に示したブロック図である。
【図４】実施の形態（１）に係る曲目データ更新システムを構成するナビゲーション装置の要部を概略的に示したブロック図である。
【図５】実施の形態（１）に係る曲目データ更新システムを構成するレンタル店装置におけるマイコンの行う処理動作を示したフローチャートである。
【図６】実施の形態（１）に係る曲目データ更新システムを構成するナビゲーション装置におけるマイコンの行う処理動作を示したフローチャートである。
【図７】（ａ）は実施の形態（２）に係る曲目データ更新システムの構成例を示した概略図であり、（ｂ）はＩＣカードの構成例を示した概略図である。
【図８】ナビゲーション装置に収録される曲目データが更新されるまでの流れを示したフローチャートである。
【図９】実施の形態（２）に係る曲目データ更新システムを構成するレンタル店装置の要部を概略的に示したブロック図である。
【図１０】実施の形態（２）に係る曲目データ更新システムを構成するレンタル店装置におけるマイコンの行う処理動作を示したフローチャートである。
【符号の説明】
【００７７】
１  レンタル店装置
２  バーコードリーダー
３、２２  リーダー／ライター
４、２３、２３Ａ  マイコン
６  曲目データベース
１１、１１Ａ  ＣＤケース
１２、１２Ａ  バーコード
１３  ＩＣカード
１３ａ  会員メモリ
１３ｂ  曲目メモリ
１３ｃ  通信部
２１、２１Ａ  ナビゲーション装置
２６  ＨＤＤ
【図１】
2008090629.tif 000003
【図２】
2008090629.tif 000004
【図３】
2008090629.tif 000005
【図４】
2008090629.tif 000006
【図５】
2008090629.tif 000007
【図６】
2008090629.tif 000008
【図７】
2008090629.tif 000009
【図８】
2008090629.tif 000010
【図９】
2008090629.tif 000011
【図１０】
2008090629.tif 000012